(57)【要約】【課題】拘束部材を框に対して適切、且つ、容易に取り付けることが可能な建具を提供する。【解決手段】開口を閉塞する障子を備えた建具であって、前記障子は、面材と、前記面材の端部を収容する複数の框材を有する框体と、前記框材の中空部内に備えられた難燃性または不燃性の補強部材と、前記框材に設けられ前記開口が閉塞された状態を維持すべく前記障子を拘束する拘束部材と、前記中空部内に設けられ前記拘束部材と前記補強部材とを連結する連結部材と、を有し、前記拘束部材は前記連結部材との間に前記框材を挟んで前記連結部材に固定され、前記連結部材は前記補強部材に揺動自在に取り付けられている。【選択図】図６
2015229827.tif 000002
【特許請求の範囲】
【請求項１】
開口を閉塞する障子を備えた建具であって、
前記障子は、面材と、
前記面材の端部を収容する複数の框材を有する框体と、
前記框材の中空部内に備えられた難燃性または不燃性の補強部材と、
前記框材に設けられ前記開口が閉塞された状態を維持すべく前記障子を拘束する拘束部材と、
前記中空部内に設けられ前記拘束部材と前記補強部材とを連結する連結部材と、を有し、
前記拘束部材は前記連結部材との間に前記框材を挟んで前記連結部材に固定され、前記連結部材は前記補強部材に揺動自在に取り付けられていることを特徴とする建具。
【請求項２】
請求項１に記載の建具であって、
前記連結部材は、前記中空部を形成し前記拘束部材とにより挟む前記框材の部位と対向する框材対向部と、
貫通孔を備え前記補強部材に取り付けられる補強部材取付部と、を有し、
前記連結部材は、頭部とねじ部との間に前記貫通孔の直径より小さく且つ前記貫通孔が貫通する方向における前記補強材取付部の厚みより長い段部を備えた段付きビスが、前記貫通孔を貫通して前記補強部材に螺合されて取り付けられていることを特徴とする建具。
【請求項３】
請求項１または請求項２に記載の建具であって、
前記障子は前記開口を形成する枠体に沿って移動可能に設けられており、
前記拘束部材は、前記障子の移動を規制して拘束するクレセント錠であることを特徴とする建具。
【発明の詳細な説明】
【技術分野】
【０００１】
本発明は、開口を閉塞する障子を備えた建具に関する。
【背景技術】
【０００２】
開口を閉塞する障子を備えた建具としては、例えば、内障子と外障子が引き違いに納められたサッシが知られている（例えば、特許文献１参照）。このサッシには、障子を拘束する部材としてクレセントが内障子の召合せ框に設けられている。このクレセントは、召合せ框の互いに対向させて配置された外部材と内部材との間に架け渡された金属製の裏板に、台座がねじにより取り付けられている。
【先行技術文献】
【特許文献】
【０００３】
【特許文献１】特公平７−９９０６５号公報
【発明の概要】
【発明が解決しようとする課題】
【０００４】
上記のようなサッシでは、召合せ框を構成するアルミニウム製または合成樹脂製の外部材と内部材との間に架け渡されて内部材に固定された裏板にクレセントの台座が取り付けられているので、火災等により火炎に晒されて内部材が溶融または変形するとクレセントが脱落する、或いは、クレセントが移動することにより内障子と外障子との拘束が弱まり、内障子と外障子との間に隙間が生じる虞がある。このため、召合せ框が有する中空部内に長手方向に沿ってアルミニウムよりも融点が高い金属製の補強部材を設け、クレセントを補強部材に固定しているものもある。しかしながら、召合せ框の中空部内に設けられている補強部材が、中空部内において召合せ框に対して適切な位置に配置されていない場合には、補強部材に固定されたクレセントが召合せ框の表面に対して傾いてしまうという課題がある。
【０００５】
本発明は、かかる課題に鑑みてなされたものであり、その目的とするところは、拘束部材を框に対して適切な状態に、容易に取り付けることが可能な建具を提供することにある。
【課題を解決するための手段】
【０００６】
かかる目的を達成するために本発明の建具は、開口を閉塞する障子を備えた建具であって、前記障子は、面材と、前記面材の端部を収容する複数の框材を有する框体と、前記框材の中空部内に備えられた難燃性または不燃性の補強部材と、前記框材に設けられ前記開口が閉塞された状態を維持すべく前記障子を拘束する拘束部材と、前記中空部内に設けられ前記拘束部材と前記補強部材とを連結する連結部材と、を有し、前記拘束部材は前記連結部材との間に前記框材を挟んで前記連結部材に固定され、前記連結部材は前記補強部材に揺動自在に取り付けられていることを特徴とする建具。である。
【０００７】
このような建具によれば、開口が閉塞された状態を維持すべく障子を拘束する拘束部材は、中空部内に備えられた難燃性または不燃性の補強部材に連結部材により連結されているので、たとえ、障子が火炎に晒されて框材が溶融したとしても、補強部材に連結された状態が維持される。また、拘束部材と補強部材とを連結する連結部材は補強部材に対して揺動自在に取り付けられているので、たとえ中空部内にて補強部材が框材に対して適切な位置に配置されていなくとも、拘束部材を框材の外側に沿わせて取り付けることが可能である。すなわち、連結部材と補強部材との揺動により、補強部材が框材との位置のズレを吸収して拘束部材を適切に取り付けることが可能である。このため、拘束部材を框材に対して適切な状態に、容易に取り付けることが可能な建具を提供することにある。
【０００８】
かかる建具であって、前記連結部材は、前記中空部を形成し前記拘束部材とにより挟む前記框材の部位と対向する框材対向部と、貫通孔を備え前記補強部材に取り付けられる補強部材取付部と、を有し、前記連結部材は、頭部とねじ部との間に前記貫通孔の直径より小さく且つ前記貫通孔が貫通する方向における前記補強材取付部の厚みより長い段部を備えた段付きビスが、前記貫通孔を貫通して前記補強部材に螺合されて取り付けられていることが望ましい。
【０００９】
このような建具によれば、連結部材が段付きビスにより補強部材に取り付けられると、段付きビスは段部が貫通孔内に位置して補強部材に螺合される。このとき、段部は貫通孔の直径より小さく、貫通孔が貫通する方向における補強部材取付部の厚みより長いので、連結部材が補強部材に固着されることなく確実に揺動させることが可能である。すなわち、貫通孔と段付きビスという簡単な構成にて連結部材と補強部材を揺動させることが可能である。
【００１０】
かかる建具であって、前記障子は前記開口を形成する枠体に沿って移動可能に設けられており、前記拘束部材は、前記障子の移動を規制して拘束するクレセント錠であることが望ましい。
【００１１】
クレセント錠は障子の移動を規制するために障子と対向する部材に係合する必要があるが、上記の建具によれば、クレセント錠が框体に対して適切に取り付けられるので、クレセント錠を框体に取り付けるだけで、障子と対向する部材に、より確実に係合させることが可能である。
【発明の効果】
【００１２】
本発明によれば、拘束部材を框に対して適切な状態に、容易に取り付けることが可能な建具を提供することが可能である。
【図面の簡単な説明】
【００１３】
【図１】本実施形態に係る建具の外観姿図である。
【図２】建具の召合せ部を示す横断面図である。
【図３】内障子の召合せ框に設けられたクレセント錠を示す斜視図である。
【図４】クレセント錠の取り付け部の構成を示す図である。
【図５】補強部材と連結部材との取り付け状態を示す図である。
【図６】傾いて配置された補強部材に取り付けられたクレセント錠を示す横断面図である。
【発明を実施するための形態】
【００１４】
以下、本発明の一実施形態に係る建具について図面を参照して説明する。
本実施形態の建具は、図１に示すように、内障子３および外障子４を備えた引違い窓用の建具１である。
【００１５】
以下の説明においては、建物等に取り付けられた状態の建具１を室外側から見たときに、上下となる方向を上下方向、左右となる方向を左右方向、室内外方向である奥行き方向を見込み方向として示す。建具１の各部位であっても、また、建具１を構成する各部材については単体の状態であっても、建具１が取り付けられた状態で上下方向、左右方向、見込み方向等となる方向にて方向を特定して説明する。
【００１６】
本実施形態の建具１は、矩形状に枠組みされた枠体１０と、枠体１０に沿って移動可能に設けられ、枠体１０により形成され室内と室外とを連通する開口１ａを閉塞可能な内障子３および外障子４と、を備えている。
【００１７】
内障子３および外障子４は、面材としての複層ガラス５と、複層ガラス５の各端部を各々収容する合成樹脂製の４本の框材６ａを有する框体６と、内障子３及び外障子４の移動を規制することにより拘束することが可能な拘束部材としてのクレセント錠８を含むクレセント錠ユニット７と、を有している。
【００１８】
クレセント錠ユニット７は、図１、図２に示すように、内障子３の召合せ框３１に設けられクレセント錠８と、外障子４の召合せ框４１に設けられクレセント錠８と係合して内障子３よび外障子４の移動を規制する錠受部材９と、を有している。
【００１９】
クレセント錠８が設けられる内障子３の召合せ框３１および錠受部材９が設けられる外障子４の召合せ框４１は、框本体３１ａ、４１ａと、框本体３１ａ、４１ａに設けられた凹溝部３１ｂ、４１ｂに係合される押縁３１ｃ、４１ｃと、を有している。各々の召合せ框３１、４１は、矩形状に框組みされた框体６の状態において内周側に、框本体３１ａ、４１ａに係合された押縁３１ｃ、４１ｃとともに複層ガラス５の端部が収容されるガラス収容部３１ｄ、４１ｄを形成し、ガラス収容部３１ｄ、４１ｄの外周側に各々長手方向に貫通する中空部３１ｅ、４１ｅを有している。
【００２０】
内障子３および外障子４を構成する各框材６ａのガラス収容部および中空部を形成する部位は、同一の断面形状をなしており、框体６は、図１に示すように、各框材６ａの長手方向における端部が各々４５度の傾斜をなすように切断され、互いに隣接する框材６ａ同士の端部を突き合わせて溶着されて形成されている。
【００２１】
内障子３および外障子４の召合せ框３１、４１が有する中空部３１ｅ、４１ｅ内には、各召合せ框３１、４１の長手方向に沿って不燃材である鉄製の補強部材１１が各々設けられている。補強部材１１は、水平断面がコ字状をなし、見込み方向に対向する一対の対向壁部１１ａと、対向壁部１１ａのガラス収容部３１ｄ、４１ｄ側の端を連結する連結壁部１１ｂと、を有している。内障子３の召合せ框３１内に設けられる補強部材１１の室外側の対向壁部１１ａには、後述する連結部材１４を揺動自在に取り付ける段付きビス１５が螺合されるビス孔１１ｃが、上下に間隔を隔てて２つ設けられており、２つのビス孔１１ｃの間には、連結部材１４の揺動を可能とするための切欠部１１ｄが設けられている。
【００２２】
錠受部材９は、鉄製の部材で有り、外障子４が有する召合せ框４１の中空部４１ｅを形成し室内に臨む面４１ｆをなす室内壁部４１ｇに当接されて固定される固定板部９ａと、召合せ框４１より外障子４の戸先側に延出され、その先端側に設けられ、クレセント錠８と係合する係合片９ｂと、を有している。
【００２３】
錠受部材９は、固定板部９ａと、固定板部９ａが当接される室内壁部４１ｇを貫通して召合せ框４１の中空部４１ｅに進入するビス１２が、中空部４１ｅ内に設けられた補強部材１１に螺合されて固定されている。すなわち、錠受部材９は、固定板部９ａと室内壁部４１ｇを貫通するビス１２により、補強部材１１との間に召合せ框４１の室内壁部４１ｇを挟持して召合せ框４１に取り付けられている。
【００２４】
クレセント錠８は、図３〜図５に示すように、内障子３が有する召合せ框３１の中空部３１ｅを形成し外障子４の戸先側を向く面３１ｆをなす側壁部３１ｇに当接されて取り付けられる台座８ａと、台座８ａを召合せ框３１側に取り付けるビス１３を覆い台座８ａに嵌合されるカバー材８ｂと、複層ガラス５の面内方向および水平方向に沿う軸を中心に回動自在に台座８ａに設けられた錠本体８ｃと、を有している。このクレセント錠は、錠本体８ｃが回動する軸が、側壁部３１ｇと直交するように取り付けられた状態で回動されると錠受部材９の係合片９ｂと係合して内障子３および外障子４の移動を規制することにより内障子３および外障子４を拘束する。すなわち、クレセント錠８は、錠本体８ｃが回動する軸が、側壁部３１ｇと直交するように取り付けられた状態が適切に取り付けられた状態で有り、台座８ａが側壁部３１ｇの外障子４の戸先側を向く面３１ｆに沿って取り付けられることにより、クレセント錠８が適切な状態で取り付けられる。
【００２５】
クレセント錠８は、内障子３の召合せ框３１の中空部３１ｅ内に設けられた補強部材１１との間に連結部材１４を介して取り付けられている。
連結部材１４は、中空部３１ｅ内に設けられる鉄板製の部材であり、側壁部３１ｇの内面３１ｈに沿うように配置される板状の側壁対向部１４ａと、側壁対向部１４ａの上端部と下端部とがほぼ直交するように折り曲げられて補強部材１１に取り付けられる補強部材取付部１４ｂと、を有している。
【００２６】
側壁対向部１４ａには、図４に示すように、板厚方向に貫通しビス１３が螺合される螺合孔１４ｃが設けられており、補強部材取付部１４ｂには、板厚方向に貫通しねじ部１５ａと頭部１５ｂとの間にねじが形成されていない段部１５ｃを有する段付きビス１５が挿通される貫通孔としての挿通孔１４ｄが設けられている。挿通孔１４ｄの直径は、段付きビス１５の段部１５ｃの直径より大きく、頭部１５ｂの直径より小さく形成されている。また、段付きビス１５の段部１５ｃの長さは、補強部材取付部１４ｂの板厚より長く形成されている。
【００２７】
クレセント錠８は、台座８ａと台座８ａが当接される側壁部３１ｇとを貫通して召合せ框３１の中空部３１ｅに進入するビス１３が、中空部３１ｅ内に設けられた連結部材１４の側壁対向部１４ａに形成された螺合孔１４ｃに螺合されて、台座８ａと連結部材１４とにて側壁部３１ｇを挟んで召合せ框３１に固定されている。また、連結部材１４は、補強部材取付部１４ｂの挿通孔１４ｄに室外側から挿通された段付きビス１５が補強部材１１の室外側の対向壁部１１ａに設けられたビス孔１１ｃに螺合されて補強部材１１に取り付けられている。ここで、側壁部３１ｇが、連結部材１４と拘束部材としてのクレセント錠８により挟む框材６ａの部位に相当する。
【００２８】
補強部材１１に段付きビス１５にて取り付けられた連結部材１４は、段付きビス１５が補強部材１１に締め込まれたとしても固定されることなく、挿通孔１４ｄと段付きビス１５の段部１５ｃとの隙間および補強部材１１に設けられた切欠部１１ｄにより補強部材１１に対して揺動自在に取り付けられる。
【００２９】
クレセント錠８の台座８ａが、連結部材１４の側壁対向部１４ａとの間に側壁部３１ｇを挟んで当該側壁部３１ｇに沿うように召合せ框３１に取り付けられると、補強部材取付部１４ｂは側壁部３１ｇに対してほぼ直交するように中空部３１ｅ内に突出している。このため、補強部材１１の対向壁部１１ａが側壁部３１ｇとほぼ直交するように配置されていれば、補強部材１１の対向壁部１１ａと連結部材１４の補強部材取付部１４ｂとを互いに対面する状態で当接させて、段部を有していないビスで固定してもクレセント錠８を適切な状態に取り付けることが可能である。
【００３０】
しかしながら、補強部材１１の対向壁部１１ａが側壁部３１ｇとほぼ直交するように配置されていない場合には、段部を有していないビスで固定すると、連結部材１４が補強部材１１の向きに沿わされて、側壁対向部１４ａが側壁部３１ｇに対して傾いた状態となり、傾いた側壁対向部１４ａに取り付けられたクレセント錠８は適切な状態で取り付けられない。このため、本実施形態の建具１では、上述したように連結部材１４を段付きビス１５にて補強部材１１に揺動自在に取り付けることにより、図６に示すように、側壁対向部１４ａが側壁部３１ｇに対して傾いた状態であっても、クレセント錠８は適切な状態で取り付けられるようにしている。
【００３１】
本実施形態の建具１によれば、開口１ａが閉塞された状態を維持すべく内障子３および外障子４を拘束するクレセント錠８は、複層ガラス５の端部に沿うように内障子３の召合せ框３１の中空部３１ｅ内に備えられた鉄製の補強部材１１に、連結部材１４により連結されているので、たとえ、内障子３が火炎に晒されて召合せ框３１が溶融したとしても、補強部材１１に連結された状態が維持される。
【００３２】
また、クレセント錠８と補強部材１１とを連結する連結部材１４は補強部材１１に対して揺動自在に取り付けられているので、たとえ中空部３１ｅ内にて補強部材１１が召合せ框３１に対して適切な位置に配置されていなくとも、クレセント錠８を召合せ框３１の外側に沿わせて取り付けることが可能である。すなわち、連結部材１４と補強部材１１との揺動により、補強部材１１の召合せ框３１に対する位置のズレを吸収してクレセント錠８を適切な状態に取り付けることが可能である。このため、召合せ框３１内にて補強部材１１が傾いて配置されていたとしてもクレセント錠８を召合せ框３１に対して適切な状態に、容易に取り付けることが可能な建具１を提供することにある。
【００３３】
また、連結部材１４が段付きビス１５により補強部材１１に取り付けられると、段付きビス１５は段部１５ｃが挿通孔１４ｄ内に位置して補強部材１１に螺合される。このとき、段部１５ｃは挿通孔１４ｄの直径より小さく、補強部材取付部１４ｂにおける螺合孔１４ｃが貫通する方向の厚みより長いので、連結部材１４が補強部材１１に固定されることなく確実に揺動させることが可能である。すなわち、挿通孔１４ｄと段付きビス１５という簡単な構成にて連結部材１４と補強部材１１を揺動させることが可能である。
【００３４】
上記実施形態においては、拘束部材をクレセント錠８としたが、これに限らず、框材の外側に設けられ開口が閉塞された状態を維持すべく障子を拘束する、例えば、障子の脱落を防止するための吊り金具などであっても構わない。
【００３５】
上記実施形態においては、引き違い窓用の建具１を例に挙げて説明したが、これに限らず、上げ下げ窓用の建具や開き障子を備えた建具など、開口を開閉可能で閉塞した状態が維持される建具であれば構わない。
【００３６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３７】
１  建具、１ａ  開口、２  枠体、３  内障子、４  外障子、５  複層ガラス、
８ｄ  召合せ框、６  框体、６ａ  框材、８  クレセント錠、１０  枠体、
１１  補強部材、１４  連結部材、１４ａ  側壁対向部、１４  補強部材取付部、
１４ｄ  挿通孔、１５  段付きビス、１５ｃ  段部、３１  内障子の召合せ框、
３１ｇ  側壁部、３１ｈ  側壁部の内面、
【図１】
2015229827.tif 000003
【図２】
2015229827.tif 000004
【図３】
2015229827.tif 000005
【図４】
2015229827.tif 000006
【図５】
2015229827.tif 000007
【図６】
2015229827.tif 000008